【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
キーワードとコンテンツを対応付けて記憶する記憶手段の検索を行う情報処理装置であって、
入力された検索キーワードに基づいて、前記記憶手段に記憶されているコンテンツを検索する検索手段と、
前記記憶手段に記憶されているコンテンツに対して為された前記検索手段による検索履歴を保存する保存手段と、
前記検索手段による新たな検索と、前記保存手段で保存されている検索履歴とを比較することによって、前記記憶手段に記憶されているコンテンツに対応付けられているキーワードを更新する更新手段と、
を有することを特徴とする情報処理装置。
【請求項２】
前記更新手段は、前記検索手段の新たな検索で用いられた検索キーワードと、前記検索履歴に保存されている以前の検索で用いられた検索キーワードとを比較することによって、当該検索されたコンテンツに対して追加更新するキーワードを選定することを特徴とする請求項１記載の情報処理装置。
【請求項３】
前記更新手段で比較対象にする前記検索履歴の条件を設定する履歴検索条件設定手段を更に有し、
前記更新手段では、前記履歴検索条件設定手段で設定された条件を満たす検索履歴と、前記検索手段による新たな検索とを比較することによって、当該検索されたコンテンツに対して追加更新するキーワードを選定することを特徴とする請求項１または２に記載の情報処理装置。
【請求項４】
前記更新手段では、前記検索手段による新たな検索と前記保存手段で保存されている検索履歴とを比較することによって、前記新たな検索で用いられたキーワードが所定回数以上使用されたキーワードであるか判断し、前記所定回数以上使用されたキーワードであると判断された場合に、前記検索されたコンテンツに対して当該キーワードを追加更新することを特徴とする請求項１乃至３のいずれかに記載の情報処理装置。
【請求項５】
前記更新手段では、更に、前記新たな検索で用いられたキーワードが所定文字数以内のキーワードであるか判断し、前記所定文字数以内のキーワードであると判断された場合に、前記検索されたコンテンツに対して当該キーワードを追加更新することを特徴とする請求項４記載の情報処理装置。
【請求項６】
前記検索履歴に基づいて、前記記憶手段に記憶されているコンテンツに対応付けられているキーワードが検索処理に使用された回数が所定回数より少ないか判断し、
前記所定回数より少ないと判断した場合、当該キーワードを削除する削除手段を、更に有することを特徴とする請求項１乃至５のいずれかに記載の情報処理装置。
【請求項７】
ネットワークを介してクライアント装置と通信する通信手段を有し、
前記入力された検索キーワードは、前記通信手段を介してクライアント装置から入力された検索キーワードであることを特徴とする請求項１乃至６のいずれかに記載の情報処理装置。
【請求項８】
キーワードとコンテンツを対応付けて記憶する記憶手段を備える情報処理装置が実行するコンテンツ処理方法であって、
入力された検索キーワードに基づいて、前記記憶手段に記憶されているコンテンツを検索する検索ステップと、
前記記憶手段に記憶されているコンテンツに対して為された前記検索ステップによる検索履歴を保存する保存ステップと、
前記検索ステップで新たな検索が為された場合、当該新たな検索と、前記保存ステップで保存されている検索履歴とを比較することによって、前記記憶手段に記憶されているコンテンツに対応付けられているキーワードを更新する更新ステップと、
を有することを特徴とするコンテンツ処理方法。
【請求項９】
コンピュータに、キーワードとコンテンツを対応付けて記憶する記憶手段の検索を行わせるコンピュータプログラムであって、
該コンピュータを、
入力された検索キーワードに基づいて、前記記憶手段に記憶されているコンテンツを検索する検索手段、
前記記憶手段に記憶されているコンテンツに対して為された前記検索手段による検索履歴を保存する保存手段、
前記検索手段による新たな検索と、前記保存手段で保存されている検索履歴とを比較することによって、前記記憶手段に記憶されているコンテンツに対応付けられているキーワードを更新する更新手段、
として機能させることを特徴とするコンピュータプログラム。
【請求項１０】
前記更新手段では、前記検索手段の新たな検索で用いられた検索キーワードと、前記検索履歴に保存されている以前の検索で用いられた検索キーワードとを比較することによって、当該検索されたコンテンツに対して追加更新するキーワードを選定することを特徴とする請求項９記載のコンピュータプログラム。
【請求項１１】
前記コンピュータを、更に、前記更新手段で比較対象にする前記検索履歴の条件を設定する履歴検索条件設定手段として機能させ、
前記更新手段では、前記履歴検索条件設定手段で設定された条件を満たす検索履歴と、前記検索手段による新たな検索とを比較することによって、当該検索されたコンテンツに対して追加更新するキーワードを選定することを特徴とする請求項９または１０に記載のコンピュータプログラム。
【請求項１２】
前記更新手段では、前記検索手段による新たな検索と前記保存手段で保存されている検索履歴とを比較することによって、前記新たな検索で用いられたキーワードが所定回数以上使用されたキーワードであるか判断し、前記所定回数以上使用されたキーワードであると判断された場合に、前記検索されたコンテンツに対して当該キーワードを追加更新することを特徴とする請求項９乃至１１のいずれかに記載のコンピュータプログラム。
【請求項１３】
前記更新手段では、更に、前記新たな検索で用いられたキーワードが所定文字数以内のキーワードであるか判断し、前記所定文字数以内のキーワードであると判断された場合に、前記検索されたコンテンツに対して当該キーワードを追加更新することを特徴とする請求項１２記載のコンピュータプログラム。
【請求項１４】
前記コンピュータを、更に、
前記検索履歴に基づいて、前記記憶手段に記憶されているコンテンツに対応付けられているキーワードが検索処理に使用された回数が所定回数より少ないか判断し、前記所定回数より少ないと判断した場合、当該キーワードを削除する削除手段、
として機能させることを特徴とする請求項９乃至１３のいずれかに記載のコンピュータプログラム。
【請求項１５】
請求項９乃至１４のいずれかの記載のコンピュータプログラムを格納した、コンピュータ読み取り可能な記憶媒体。
【手続補正２】
【補正対象書類名】明細書
【補正対象項目名】発明の名称
【補正方法】変更
【補正の内容】
【発明の名称】情報処理装置、コンテンツ処理方法、コンピュータプログラムおよび記憶媒体
【手続補正３】
【補正対象書類名】明細書
【補正対象項目名】０００１
【補正方法】変更
【補正の内容】
【０００１】
本発明は、保存されたコンテンツを検索処理する情報処理装置に関するものである。
【手続補正４】
【補正対象書類名】明細書
【補正対象項目名】００１５
【補正方法】変更
【補正の内容】
【００１５】
キーワードとコンテンツを対応付けて記憶する記憶手段の検索を行う情報処理装置であって、入力された検索キーワードに基づいて、前記記憶手段に記憶されているコンテンツを検索する検索手段と、前記記憶手段に記憶されているコンテンツに対して為された前記検索手段による検索履歴を保存する保存手段と、前記検索手段による新たな検索と、前記保存手段で保存されている検索履歴とを比較することによって、前記記憶手段に記憶されているコンテンツに対応付けられているキーワードを更新する更新手段とを有することを特徴とする。
【手続補正５】
【補正対象書類名】明細書
【補正対象項目名】００１７
【補正方法】変更
【補正の内容】
【００１７】
キーワードとコンテンツを対応付けて記憶する記憶手段を備える情報処理装置が実行するコンテンツ処理方法であって、入力された検索キーワードに基づいて、前記記憶手段に記憶されているコンテンツを検索する検索ステップと、前記記憶手段に記憶されているコンテンツに対して為された前記検索ステップによる検索履歴を保存する保存ステップと、前記検索ステップで新たな検索が為された場合、当該新たな検索と、前記保存ステップで保存されている検索履歴とを比較することによって、前記記憶手段に記憶されているコンテンツに対応付けられているキーワードを更新する更新ステップとを有することを特徴とする。
【手続補正６】
【補正対象書類名】明細書
【補正対象項目名】００３９
【補正方法】変更
【補正の内容】
【００３９】
ポインティング・デバイスであるマウス２１３によりディスプレイ２１６上で画像情報の加工指示を行う。マウス２１３によりディスプレイ２１６上のカーソルをＸ，Ｙ方向任意に移動してコマンドメニュー上のコマンドやアイコンを選択する。そして、マウス２１３は、その選択の指示を行うほか、編集対象の指示、描画位置の指示等も行うようになっている。
【手続補正７】
【補正対象書類名】明細書
【補正対象項目名】００４９
【補正方法】変更
【補正の内容】
【００４９】
図３において、クライアントＰＣ１０１，１０２，１０３は、情報登録モジュール３０１とコンテンツ検索モジュール３０２を備える。そして、情報登録モジュール３０１は、カタログ情報や画像データなどのコンテンツをWebＡＰＳ１０９にＨＴＴＰサーバ１０８を介して登録したり、商品データを出力するためのフォーム情報を登録したりする。また、クライアントＰＣ１０１，１０２，１０３のコンテンツ検索モジュール３０２は、それらフォーム作成に必要となるコンテンツを検索する。
【手続補正８】
【補正対象書類名】明細書
【補正対象項目名】００９０
【補正方法】変更
【補正の内容】
【００９０】
そして、ステップＳ４０６では、該当するコンテンツに対し、キーワード更新の有無および更新するキーワードの選定の判断を行う。この部分の詳細処理は図５のフローチャートにおいて説明する。
【手続補正９】
【補正対象書類名】明細書
【補正対象項目名】０１９４
【補正方法】変更
【補正の内容】
【０１９４】
図１７に示したステップＳ１７０２では、図１３に示した検索キーワード１３０３、図２０に示した検索キーワード２００３と図１８に示した選定条件データ１８０３、図２０に示した回数２００４を用いて判断することになる。
【手続補正１０】
【補正対象書類名】明細書
【補正対象項目名】０１９５
【補正方法】変更
【補正の内容】
【０１９５】
データ全体１３０３、２００３より同じキーワードは「旅」、「夏」、「西日本」に絞られる。
【手続補正１１】
【補正対象書類名】明細書
【補正対象項目名】０２０４
【補正方法】変更
【補正の内容】
【０２０４】
図２１は、本発明に係るサーバ装置における第６のデータ処理手順の一例を示すフローチャートである。本処理は、WebＡＰＳ１０９のＣＰＵによって実行される更新キーワード選定処理手順に対応する。なお、Ｓ６０１〜Ｓ６０３、Ｓ１７０１、Ｓ１７０２、Ｓ２１０１、Ｓ６０６は各ステップを示す。また、各ステップは、ハードディスク２１０等からＰＭＥＭ２０３にロードされる制御プログラムをＣＰＵ２０２が実行することで実現される。なお、ステップＳ１７０１、ステップＳ１７０２を除いては図６と同様であるため説明は割愛する。また、ステップＳ２１０１を除いては図１７と同様であるため、他のステップについて説明は割愛する。
【手続補正１２】
【補正対象書類名】明細書
【補正対象項目名】０２０９
【補正方法】変更
【補正の内容】
【０２０９】
図４のステップＳ４０４で取得するデータと同分類であるが、内容の差異がある。検索エンジンから受けとる検索結果のデータ例であり、このデータをもとにクライアントＰＣ上に表示されるWebページなどを作成してもよいことは図４と同様である。
【手続補正１３】
【補正対象書類名】明細書
【補正対象項目名】０２１０
【補正方法】変更
【補正の内容】
【０２１０】
図２２において、２２０１は受信するデータ全体を表す。データ１００２は検索に該当したコンテンツを表す。実際はファイルの参照先などの情報として扱うことが想定されるが、本実施形態ではわかりやすさのために画像データで表示することとする。
【手続補正１４】
【補正対象書類名】明細書
【補正対象項目名】０２２３
【補正方法】変更
【補正の内容】
【０２２３】
図２５は、図１に示したWebＡＰＳ１０９内の記憶媒体に格納されたデータの一例を示す図である。本例は、図２１のステップＳ６０２で取得するデータであり、図２４に示したデータ２４０１から必要な情報だけを抜き出したものであり、WebＡＰＳ１０９内の記憶媒体に格納されたデータである。
【手続補正１５】
【補正対象書類名】明細書
【補正対象項目名】０２２９
【補正方法】変更
【補正の内容】
【０２２９】
図２６は、図１に示したWebＡＰＳ１０９内の記憶媒体に格納されたデータの一例を示す図である。本例は、図２１のステップＳ２１０１で生成され保持されるデータであって、WebＡＰＳ１０９内の記憶媒体に格納されたデータである。図２６において、２６０１データ全体を表す。２６０２は各データのカテゴリを示す領域で、更新対象コンテンツ、既存キーワード、削除キーワードの欄がある。２６０３は、前記領域２６０２の対応する実データで「コンテンツＡ」、「夏、旅、暑い、きれい」という情報を持っている。